(57)【特許請求の範囲】
【請求項１】
基準信号発生手段からの基準信号の周波数を基準として周波数合成を行って得られた局発信号によって受信波の周波数変換を行う周波数変換手段と、
周波数変換された信号を直交検波する直交検波手段と、
直交検波された信号をディジタル信号に変換するＡ／Ｄ変換手段とを備え、
前記基準信号の周波数を変化させる制御信号を制御手段から前記基準信号発生手段に与えるＡＦＣフィードバック制御を行う無線受信機において、
前記基準信号の周波数を基準として周波数合成を行って搬送波信号を前記直交検波手段に与える第１の周波数合成手段と、
前記基準信号の周波数を基準として周波数合成を行ってクロック信号を発生し、前記Ａ／Ｄ変換手段へ供給する第２の周波数合成手段と、
を備えたことを特徴とする無線受信機。
【請求項２】
前記第２の周波数合成手段の出力を、前記Ａ／Ｄ変換後の信号を用いて受信波の信号点の位相を検出する位相検出手段又は前記制御手段に、クロック信号として供給する供給手段を更に有することを特徴とする請求項１記載の無線受信機。
【請求項３】
基準信号発生手段からの基準信号の周波数を基準として周波数合成を行って得られた局発信号によって受信波の周波数変換を行う周波数変換手段と、
周波数変換された信号を直交検波する直交検波手段と、
直交検波された信号をディジタル信号に変換するＡ／Ｄ変換手段とを備え、
前記基準信号の周波数を変化させる制御信号を制御手段から前記基準信号発生手段に与えるＡＦＣフィードバック制御を行う無線受信機において、
前記基準信号の周波数を基準として周波数合成を行って搬送波信号を前記直交検波手段に与える第１の周波数合成手段と、
前記基準信号の周波数を基準として周波数合成を行ってクロック信号を発生し、前記Ａ／Ｄ変換手段へ供給する第２の周波数合成手段と、
前記Ａ／Ｄ変換手段に供給可能なクロック信号を発生するクロック発生手段と、
前記クロック発生手段からのクロック信号と、前記第２の周波数合成手段からのクロック信号とのうちの一方を、前記制御手段から送られる選択信号に基づき選択して前記Ａ／Ｄ変換手段に供給する選択スイッチ手段と、
受信波が前記周波数変換手段により周波数変換された際に得られた周波数と、所望の周波数との間の周波数差が、所定値以下であるときには前記クロック発生手段からのクロック信号を選択することを指令し、前記周波数差が所定値を越えたときには、前記第２の周波数合成手段からのクロック信号を選択することを指令する選択信号を前記選択スイッチ手段に送る、前記制御手段に含まれる選択手段と、
を有することを特徴とする無線受信機。
【請求項４】
基準信号発生手段からの基準信号の周波数を基準として周波数合成を行って得られた局発信号によって受信波の周波数変換を行う周波数変換手段と、
周波数変換された信号を直交検波する直交検波手段と、
直交検波された信号をディジタル信号に変換するＡ／Ｄ変換手段とを備え、
前記基準信号の周波数を変化させる制御信号を制御手段から前記基準信号発生手段に与えるＡＦＣフィードバック制御を行う無線受信機において、
前記基準信号の周波数を基準として周波数合成を行って搬送波信号を前記直交検波手段に与える第１の周波数合成手段と、
前記基準信号の周波数を基準として周波数合成を行ってクロック信号を発生し、前記Ａ／Ｄ変換手段へ供給する第２の周波数合成手段と、
基準受信波が前記周波数変換されたときに、前記制御手段によって定常的に出力される制御信号を記憶する記憶手段と、
始動の際に、前記記憶手段に記憶された制御信号を読み出して前記基準信号発生手段に与える、前記制御手段に含まれる読出手段と、
を有することを特徴とする無線受信機。
【請求項５】
前記制御手段が、前記記憶手段に記憶された制御信号を読み出して前記基準信号発生手段に与えた後、受信波が前記周波数変換手段により周波数変換された際に得られた周波数と、所望の周波数との間の周波数差が、所定許容範囲内に収まったときの制御信号の平均値を記憶する平均値記憶手段を更に有し、
前記制御手段は所定時間毎に、前記平均値記憶手段に記憶されている平均値を、前記記憶手段に記憶されている制御信号と比較し、異なっている場合には、当該平均値を前記記憶手段に制御信号として記憶させる制御信号更新手段を含む、
ことを特徴とする請求項４記載の無線受信機。
【請求項６】
第１の制御信号により周波数が可変し得る第１の基準信号発生手段からの第１の基準信号の周波数を基準として周波数合成を行って得られた局発信号によって受信波の周波数変換を行う周波数変換手段と、
周波数変換された信号を直交検波する直交検波手段と、
直交検波された信号をディジタル信号に変換するＡ／Ｄ変換手段とを備え、
前記第１の基準信号の周波数を変化させる第１の制御信号を制御手段から前記第１の基準信号発生手段に与えるＡＦＣフィードバック制御を行う無線受信機において、
前記制御手段からの第２の制御信号により周波数が可変し得る第２の基準信号を発生する第２の基準信号発生手段と、
前記制御手段からの第３の制御信号により周波数が可変し得る第３の基準信号を発生する第３の基準信号発生手段と、
前記第２の基準信号の周波数を基準として周波数合成を行って搬送波信号を前記直交検波手段に与える第１の周波数合成手段と、
前記第３の基準信号の周波数を基準として周波数合成を行ってクロック信号を発生し、前記Ａ／Ｄ変換手段に与える第２の周波数合成手段と、
前記第３の基準信号発生手段に供給可能な定電圧を発生する定電圧発生手段と、
前記定電圧発生手段からの定電圧と、前記制御手段からの第３の制御信号のうちの一方を、前記制御手段からの選択信号に基づき選択して前記第３の基準信号発生手段に供給する選択スイッチ手段と、
受信波が前記周波数変換手段により周波数変換された際に得られた周波数と、所望の周波数との間の周波数差が、所定値以下であるときには前記定電圧発生手段から送られた定電圧を選択することを指令し、前記周波数差が所定値を越えたときには、前記制御手段から送られる第３の制御信号を選択することを指令する選択信号を前記選択スイッチ手段に送る、前記制御手段に含まれる選択手段と、
を有することを特徴とする無線受信機。
【請求項７】
基準信号発生手段からの基準信号の周波数を基準として周波数合成を行って得られた局発信号によって受信波の周波数変換を行う周波数変換手段と、
周波数変換された信号を直交検波する直交検波手段と、
直交検波された信号をディジタル信号に変換するＡ／Ｄ変換手段とを備え、
前記基準信号の周波数を変化させる制御信号を制御手段から前記基準信号発生手段に与えるＡＦＣフィードバック制御を行う無線送受信機において、
前記基準信号の周波数を基準として周波数合成を行って搬送波信号を前記直交検波手段に与える第１の周波数合成手段と、
前記基準信号の周波数を基準として周波数合成を行ってクロック信号を発生し、前記Ａ／Ｄ変換手段へ供給する第２の周波数合成手段と、
ディジタル送信情報をアナログ信号に変換するＤ／Ａ変換手段と、
該Ｄ／Ａ変換手段からのアナログ信号を用いて直交変調を行う変調手段と、
前記基準信号の周波数を基準として周波数合成を行って局発信号を発生する送信側局部発振手段と、
前記変調手段からの信号について、該送信側局部発振手段からの局発信号を用いて周波数変換を行い、送信波を生成する送信側周波数変換手段と、
前記基準信号の周波数を基準として周波数合成を行ってクロック信号を発生し、前記Ｄ／Ａ変換手段へ供給する第３の周波数合成手段と、
前記基準信号の周波数を基準として周波数合成を行って搬送波信号を発生し、前記変調手段へ供給する第４の周波数合成手段と、
を有することを特徴とする無線送受信機。
【請求項８】
直交検波された入力アナログ信号をディジタル信号に変換して、受信波の信号点の位相を検出する位相検出手段への入力用の信号を出力するＡ／Ｄ変換手段と、
ＡＦＣフィードバックループの一部を構成し、直交検波に用いる搬送波及び受信波の周波数変換用として周波数変換部に入力される局部発振信号を自己が出力した信号に位相同期させるため該位相同期用の基準信号を出力する基準信号発生手段と、該基準信号の周波数を変化させる制御信号を出力する制御手段とを備えた無線受信機用回路において、
前記基準信号の周波数を基準として周波数合成を行ってクロック信号を発生し、前記Ａ／Ｄ変換手段へ供給する周波数合成手段を、
備えたことを特徴とする無線受信機用回路。
【発明の詳細な説明】
【０００１】
【発明の属する技術分野】
本発明は、無線受信機、無線送受信機及び無線受信機用回路に関し、特に、ＣＤＭＡ(Code Division Multiple Access) 方式が適用された移動通信システムのように、到来した受信波の無線周波数に高い精度で発振周波数が一致した局発信号に基づいて周波数変換や変復調が行われる無線受信機、無線送受信機及び無線受信機用回路に関する。
【０００２】
ＣＤＭＡ方式は、他の多元接続方式に比べて干渉、妨害及び無線伝送路の伝送特性の変動に抗して高い伝送品質が得られ、かつ秘話性に富むために、次世代の移動通信システムに適用される方向で種々の開発や研究が進められている。
【０００３】
【従来の技術】
図１３は、ＣＤＭＡ方式が適応された従来の無線受信機の構成例を示す図である。
【０００４】
図中、受信波は低雑音増幅器（ＬＮＡ）１０１及び帯域通過フィルタ（ＢＰＦ）１０２を介して周波数変換部１０３に送られる。周波数変換部１０３は乗算器からなり、後述の局部発振部１１２から送られる局発信号を用いて、受信波を中間周波信号に変換する。周波数変換部１０３の出力は、帯域通過フィルタ（ＢＰＦ）１０４を介して復調部１０５に入力される。復調部１０５は、乗算器１０５ａ，１０５ｂ、９０゜移相器１０５ｃ、発振器１０５ｄからなり、位相検波を行って、ＩチャネルとＱチャネルのベースバンド信号を出力する。このベースバンド信号がＡ／Ｄ変換部１０６でアナログからディジタルに変換される。Ａ／Ｄ変換部１０６は、Ａ／Ｄ変換器１０６ａ，１０６ｂ、クロック発振器１０６ｃからなる。位相検出部１０７は、時系列ｔ（ここでは、簡単のため、シンボル周期で正規化された整数値であると仮定する）に対応したＩチャネル及びＱチャネルの振幅Ｉmt，Ｑmtを求めると共に、次式（１）に基づき受信波の位相θt を算出する。
【０００５】
【数１】
θt ＝arctan（Ｑmt／Ｉmt）    ・・・（１）
周波数誤差検出部１０８は、この位相θt を時系列ｔに対して２回微分することにより、周波数誤差を算出する。この周波数誤差は、局発信号の周波数と中間周波信号の周波数との合算値と、受信波の周波数との差である。
【０００６】
なお、このような周波数誤差の算出については、上述した受信波の成分のうち、その受信波の形式に基づいて受信されることが既知である情報を基準として行われる。その情報としては、例えば、受信側において同期確立に使用されるプリアンブル、ユニークワード、連続する同じ値のシンボル（ビット）列などがある。
【０００７】
制御部１０９は、算出された周波数誤差が所定許容範囲内に収まっているか否かを判別し、所定許容範囲内に収まっていなければ、その周波数誤差に比例した値を示すディジタル信号を出力する。Ｄ／Ａ変換器１１０は、そのディジタル信号が示す値を制御電圧Ｖcontとして示す制御信号を生成して、基準信号発生器１１１へ送る。基準信号発生器１１１は、電圧制御温度補償水晶発振器（ＶＣＴＣＸＯ）で構成され、その制御信号に応じて、上述した周波数誤差が圧縮される方向に発振周波数を可変した基準信号を発生する。
【０００８】
局部発振部１１２は、基準信号発生器１１１から送られる基準信号（周波数ｆvctcxo）を基にして周波数合成を行い、局部発振信号（局発信号）を発生して周波数変換部１０３へ送る。局部発振部１１２は、分周比１／Ｍの分周器１１２ａ、分周比１／Ｎの分周器１１２ｂ、位相比較器１１２ｃ、ループフィルタ１１２ｄ、電圧制御発振器（ＶＣＯ）１１２ｅからなり、次式（２）で表される周波数ｆmsの局発信号を周波数変換部１０３へ出力する。
【０００９】
【数２】
ｆms＝ｆvctcxo・（Ｎ／Ｍ）  ・・・（２）
なお、周波数変換部１０３、帯域通過フィルタ１０４、復調部１０５、Ａ／Ｄ変換部１０６、位相検出部１０７、周波数誤差検出部１０８、Ｄ／Ａ変換器１１０、基準信号発生器１１１、局部発振部１１２からなるＡＦＣ(Auto Frequency Control)フィードバックループにより、上述したような局発信号の周波数補正を反復処理するが、制御部１０９は、周波数誤差が所定許容範囲内に収まれば、その時点で、周波数補正を取り止めてその補正状態を維持する。即ち、制御電圧Ｖcontを維持する。
【００１０】
これにより、送信側である基地局に対して、移動端末である無線受信機の同期が取れ、正確なデータ復調が可能となる。また、移動端末が無線送受信機であるときに、送信部において前述のような受信部と同期を取ることにより、基地局に対して移動端末から送られた送信信号も正確な同期が取れた信号となる。
【００１１】
【発明が解決しようとする課題】
上述の従来の無線受信機では、ＡＦＣフィードバックループにより局発信号の周波数補正を行って正確なデータ復調を実現している。しかし、Ａ／Ｄ変換部１０６がサンプリングに使用する、クロック発振器１０６ｃから出力されるクロック信号は、受信波と同期が取れていない。そのため、ＡＦＣによる周波数補正（同期）に時間がかかるという問題がある。これに対しては、クロック発振器１０６ｃに代わって基準信号発生器１１１を共用すれば解決しそうに見えるが、その使用には下記のような障害がある。
【００１２】
即ち例えば、基準信号発生器１１１の基準信号の周波数が１２ＭＨｚであるのに対して、Ａ／Ｄ変換部１０６が必要とするクロック信号の周波数が３２．７６８ＭＨｚである場合、分周しても互いに一致しない周波数関係にあり、共用ができない。
【００１３】
その場合、基準信号発生器１１１の基準信号の周波数が３２．７６８ＭＨｚであればよいことになるが、現在、移動端末に搭載可能な程小型で所望の安定度及び精度を持ったＶＣＴＣＸＯは存在しない。即ち、ここのＡ／Ｄ変換部１０６において必要とされるクロック信号の周波数３２．７６８ＭＨｚは、通常のＡ／Ｄ変換部が必要とするクロック信号の周波数よりも高周波であり、現在、移動端末に搭載可能なＶＣＴＣＸＯの周波数は２０ＭＨｚが限度である。
【００１４】
その上、Ａ／Ｄ変換部１０６で変換されたディジタル信号に対して、その後の処理を安定に行わせるには、クロック信号のデューティを５０％とすることが望ましい。これを実現するには、３２．７６８ＭＨｚの２倍である６５．５３６ＭＨｚのクロック信号が必要となり、ＶＣＴＣＸＯは、より高周波のものが求められる。
【００１５】
本発明はこのような点に鑑みてなされたものであり、Ａ／Ｄ変換部に起因して長くなっていた、ＡＦＣによる周波数補正（同期）の引き込み時間を短縮した無線受信機、無線送受信機及び無線送受信機用回路を提供することを目的とする。
【００１６】
【課題を解決するための手段】
本発明では上記目的を達成するために、図１に示すように、外部からの制御信号により周波数が可変し得る基準信号を発生する基準信号発生手段１と、基準信号発生手段１から発生された基準信号の周波数を基準として周波数合成を行って局発信号を発生する局部発振手段１０と、信号空間で位相が異なる複数の信号点をとる受信波を取り込み、前記局部発振手段から与えられた局発信号によって受信波の周波数変換を行い、中間周波信号を生成する周波数変換手段２と、周波数変換手段２によって生成された中間周波信号をディジタル復調して同相成分及び直交成分のベースバンド信号を出力する復調手段２０と、同相成分及び直交成分のベースバンド信号に対してアナログからディジタルへの変換をそれぞれ行い、各ディジタル信号を出力するＡ／Ｄ変換手段３０と、Ａ／Ｄ変換手段３０から出力された各ディジタル信号を基に、信号点の位相を検出する位相検出手段３と、位相検出手段３ら時系列に沿って出力された信号点の位相を２回時間微分することにより、局発信号の周波数と中間周波信号の周波数との合算値と、受信波の周波数との差である周波数誤差を求める周波数誤差検出手段４と、周波数誤差検出手段４によって求められた周波数誤差が圧縮される方向に、基準信号の周波数を変化させる制御信号を基準信号発生手段１に与える制御手段５と、基準信号発生手段１から発生された基準信号の周波数を基準として周波数合成を行ってクロック信号を発生し、Ａ／Ｄ変換手段３０へ供給する周波数合成手段４０とを有することを特徴とする無線受信機が提供される。
【００１７】
以上のような構成において、周波数誤差検出手段４が検出した周波数誤差を基にして、制御手段５が基準信号発生手段１に対してＡＦＣフィードバック制御を行う。これは従来と同じ動作である。
【００１８】
本発明では更に、周波数合成手段４０が、基準信号発生手段１から発生された基準信号の周波数を基準として周波数合成を行ってクロック信号を発生し、Ａ／Ｄ変換手段３０へ供給する。従って、Ａ／Ｄ変換手段３０へ供給されるクロック信号は受信波と同期が取れており、そのため、Ａ／Ｄ変換手段３０がＡＦＣフィードバック制御に悪影響を与えることがなくなり、ＡＦＣによる周波数補正（同期）の引き込み時間を従来よりも短縮することができる。
【００１９】
また、周波数合成手段４０にＰＬＬ(Phase Locked Loop) 回路を使用すれば、分周しても周波数が一致しない問題も解消し、また、移動端末に搭載可能な現在あるＶＣＴＣＸＯを使用することも可能となる。
【００２０】
【発明の実施の形態】
以下、本発明の実施の形態を、図面を参照して説明する。
第１の実施の形態を説明する。
【００２１】
まず、第１の実施の形態に関する原理構成を、図１を参照して説明する。第１の実施の形態は、外部からの制御信号により周波数が可変し得る基準信号を発生する基準信号発生手段１と、基準信号発生手段１から発生された基準信号の周波数を基準として周波数合成を行って局発信号を発生する局部発振手段１０と、信号空間で位相が異なる複数の信号点をとる受信波を取り込み、前記局部発振手段から与えられた局発信号によって受信波の周波数変換を行い、中間周波信号を生成する周波数変換手段２と、周波数変換手段２によって生成された中間周波信号をディジタル復調して同相成分及び直交成分のベースバンド信号を出力する復調手段２０と、同相成分及び直交成分のベースバンド信号に対してアナログからディジタルへの変換をそれぞれ行い、各ディジタル信号を出力するＡ／Ｄ変換手段３０と、Ａ／Ｄ変換手段３０から出力された各ディジタル信号を基に、信号点の位相を検出する位相検出手段３と、位相検出手段３ら時系列に沿って出力された信号点の位相を２回時間微分することにより、局発信号の周波数と中間周波信号の周波数との合算値と、受信波の周波数との差である周波数誤差を求める周波数誤差検出手段４と、周波数誤差検出手段４によって求められた周波数誤差が圧縮される方向に、基準信号の周波数を変化させる制御信号を基準信号発生手段１に与える制御手段５と、基準信号発生手段１から発生された基準信号の周波数を基準として周波数合成を行ってクロック信号を発生し、Ａ／Ｄ変換手段３０へ供給する周波数合成手段４０とから構成される。
【００２２】
以上のような構成において、周波数誤差検出手段４が検出した周波数誤差を基にして、制御手段５が基準信号発生手段１に対してＡＦＣフィードバック制御を行う。これは従来と同じ動作である。
【００２３】
本発明では更に、周波数合成手段４０が、基準信号発生手段１から発生された基準信号の周波数を基準として周波数合成を行ってクロック信号を発生し、Ａ／Ｄ変換手段３０へ供給する。従って、Ａ／Ｄ変換手段３０へ供給されるクロック信号は受信波と同期が取れており、そのため、Ａ／Ｄ変換手段３０がＡＦＣフィードバック制御に悪影響を与えることがなくなり、ＡＦＣによる周波数補正（同期）の引き込み時間が従来よりも短縮されることになる。
【００２４】
また、周波数合成手段４０にＰＬＬ回路を使用すれば、分周しても周波数が一致しない問題も解消し、また、移動端末に搭載可能な現在あるＶＣＴＣＸＯを使用することも可能となる。
【００２５】
次に、第１の実施の形態を詳しく説明する。なお、以下に説明する第１の実施の形態では、図１に示す基準信号発生手段１は基準信号発生部１ａに対応し、同様に、局部発振手段１０は局部発振部１０ａに、周波数変換手段２は周波数変換部２ａに、復調手段２０は復調部２０ａに、Ａ／Ｄ変換手段３０はＡ／Ｄ変換部３０ａに、位相検出手段３は位相検出部３ａに、周波数誤差検出手段４は周波数誤差検出部４ａに、制御手段５は制御部５ａに、周波数合成手段４０は周波数合成部４０ａに対応する。
【００２６】
図２は、第１の実施の形態に係るＣＤＭＡ方式が適応された無線受信機の構成を示すブロック図である。図２中、受信波は低雑音増幅器（ＬＮＡ）７及び帯域通過フィルタ（ＢＰＦ）８を介して周波数変換部２ａに送られる。周波数変換部２ａは乗算器からなり、局部発振部１０ａから送られる局発信号を用いて、受信波を中間周波信号に変換する。周波数変換部２ａの出力は、帯域通過フィルタ（ＢＰＦ）９を介して復調部２０ａに入力される。復調部２０ａは、乗算器２１，２２、９０゜移相器２３、発振器２４からなり、位相検波を行って、ＩチャネルとＱチャネルのベースバンド信号を出力する。このベースバンド信号がＡ／Ｄ変換部３０ａでアナログからディジタルに変換される。Ａ／Ｄ変換部３０ａは、Ａ／Ｄ変換器３１，３２からなり、Ａ／Ｄ変換器３１，３２には周波数合成部４０ａからクロック信号が送られる。位相検出部３ａは、時系列ｔに対応したＩチャネル及びＱチャネルの振幅Ｉmt，Ｑmtを求め、これらから受信波の位相θt を算出し、図示を省略したが後段の信号処理部へ送る。
【００２７】
周波数誤差検出部４ａは、この位相θt を分岐し、時系列ｔに対して２回微分することにより、周波数誤差を算出する。この周波数誤差は、局発信号の周波数と中間周波信号の周波数との合算値と、受信波の周波数との差である。
【００２８】
なお、このような周波数誤差の算出については、上述した受信波の成分のうち、その受信波の形式に基づいて受信されることが既知である情報を基準として行われる。その情報としては、例えば、受信側において同期確立に使用されるプリアンブル、ユニークワード、連続する同じ値のシンボル（ビット）列などがある。
【００２９】
制御部５ａは、算出された周波数誤差が所定許容範囲内に収まっているか否かを判別し、所定許容範囲内に収まっていなければ、その周波数誤差に比例した値を示すディジタル信号を出力する。Ｄ／Ａ変換器６は、そのディジタル信号が示す値を制御電圧Ｖcontとして示す制御信号を生成して、基準信号発生部１ａへ送る。基準信号発生部１ａは、電圧制御温度補償水晶発振器（ＶＣＴＣＸＯ）で構成され、その制御信号に応じて、上述した周波数誤差が圧縮される方向に発振周波数を可変した基準信号を発生する。
【００３０】
局部発振部１０ａは、基準信号発生部１ａから送られる基準信号（周波数ｆvctcxo）を基にして周波数合成を行い、局発信号を発生して周波数変換部２ａへ送る。局部発振部１０ａは、分周比１／Ｍの分周器１１、分周比１／Ｎの分周器１２、位相比較器１３、ループフィルタ１４、電圧制御発振器（ＶＣＯ）１５からなり、周波数ｆvctcxo・（Ｎ／Ｍ）の局発信号を周波数変換部１０３へ出力する。
【００３１】
なお、周波数変換部２ａ、帯域通過フィルタ９、復調部２０ａ、Ａ／Ｄ変換部３０ａ、位相検出部３ａ、周波数誤差検出部４ａ、Ｄ／Ａ変換器６、基準信号発生部１ａ、局部発振部１０ａからなるＡＦＣフィードバックループにより、上述したような局発信号の周波数補正を反復処理するが、制御部５ａは、周波数誤差が所定許容範囲内に収まれば、その時点で、周波数補正を取り止めてその補正状態を維持する。即ち、制御電圧Ｖcontを維持する。
【００３２】
更に、周波数合成部４０ａは、基準信号発生部１ａから送られる基準信号（周波数ｆvctcxo）を基にして周波数合成を行い、クロック信号を発生してＡ／Ｄ変換部３０ａへ送る。周波数合成部４０ａは、分周比１／Ｍ′の分周器４１、分周比１／Ｎ′の分周器４２、位相比較器４３、ループフィルタ４４、電圧制御発振器（ＶＣＯ）４５からなり、周波数ｆvctcxo・（Ｎ′／Ｍ′）のクロック信号をＡ／Ｄ変換部３０ａへ出力する。
【００３３】
これにより、受信波にクロック信号が同期し、Ａ／Ｄ変換部３０ａがＡＦＣフィードバック制御に悪影響を与えることがなくなり、ＡＦＣによる周波数補正（同期）の引き込み時間が従来よりも短縮される。
【００３４】
次に、第２の実施の形態を説明する。
図３は、第２の実施の形態に係る無線受信機の構成を示すブロック図である。
第２の実施の形態は、基本的に第１の実施の形態と同じ構成であるので、同一構成部分には同一の参照符号を付してその説明を省略し、相違する部分だけを以下に説明する。
【００３５】
第２の実施の形態では、切替スイッチ（ＳＷ）５１を低雑音増幅器７の前段に設け、切替スイッチ５１の一方の入力端子に受信波を入力させるようにする。通常は、切替スイッチ５１は受信波を低雑音増幅器７へ出力するようにしている。また、制御部５ａに記憶装置５３を接続する。
【００３６】
この無線受信機の製造時において、切替スイッチ５１の他方の入力端子に基準信号発生器５２を接続し、切替スイッチ５１を切り替えて、受信波基準信号発生器５２からの出力信号を低雑音増幅器７へ送るようにし、その上で、無線受信機に対してＡＦＣフィードバック制御動作を行わせる。基準信号発生器５２は、周波数が高安定な（例えば、０．０１ｐｐｍ）標準変調信号を発生する装置である。
【００３７】
無線受信機でのＡＦＣフィードバック制御動作の結果、周波数誤差検出部４ａが検出した周波数誤差が所定範囲内に収まったときに、制御部５ａは、そのときのＤ／Ａ変換器６へ出力しているディジタル信号を、記憶装置５３に初期値として記憶する。この記憶された初期値は、基準信号発生部１ａへ送るべき周波数誤差に比例した電圧値（制御電圧Ｖcont）をディジタル値によって示すものである。
【００３８】
即ち、電源電圧値、基準信号発生部１ａの出力負荷の大きさ、発振周波数調整用に付加されるトリマコンデンサの容量、Ｄ／Ａ変換器６の出力抵抗の値に、無線受信機毎の個体差があるために、ＶＣＴＣＸＯからなる基準信号発生部１ａが発生する基準信号の周波数は、無線受信機毎に異なるものになってしまう。そのため、このままでは、無線受信機によっては、周波数誤差が所定範囲内に収まるまでに、数１０秒もかかることがある。
【００３９】
そこで、製造時に各無線受信毎に、基準信号発生器５２を使用して、予めＡＦＣフィードバック制御動作を行う。その結果、周波数誤差が所定範囲内に収まったときのディジタル信号（制御電圧Ｖcontをディジタル値として示す、制御部５ａがＤ／Ａ変換器６へ出力している信号）を得て、記憶装置５３に初期値として記憶しておく。そして、ユーザがその無線受信機を起動するときにその都度、制御部５ａが記憶装置５３に記憶された初期値を読み出して、Ｄ／Ａ変換器６へ送るようにする。これによって、ＡＦＣフィードバック制御動作を行ったときに常時、素早く、周波数誤差が所定範囲内に収まることになる。つまり、製造時の予めのＡＦＣフィードバック制御動作では、周波数誤差が所定範囲内に収まるまでに、長い時間がかかることがあっても、一度初期値を得てしまえば、ユーザが実際にその無線受信機を起動するときにその初期値を使用することにより、非常に短時間に周波数誤差が所定範囲内に収まり、従って、素早く同期の取れた正確な受信処理が可能となる。
【００４０】
次に、第３の実施の形態を説明する。
図４は、第３の実施の形態に係る無線受信機の構成を示すブロック図である。
第３の実施の形態は、基本的に第１の実施の形態と同じ構成であるので、同一構成部分には同一の参照符号を付してその説明を省略し、相違する部分だけを以下に説明する。
【００４１】
第３の実施の形態では、復調部２０ｂが、乗算器２１，２２、９０゜移相器２３からなり、乗算器２１及び移相器２３に周波数合成部６０が接続される。周波数合成部６０は、基準信号発生部１ａから送られる基準信号（周波数ｆvctcxo）を基にして周波数合成を行い、搬送波信号を発生して復調部２０ｂへ送る。周波数合成部６０は、分周比１／Ｍ′の分周器６１、分周比１／Ｎ′の分周器６２、位相比較器６３、ループフィルタ６４、電圧制御発振器（ＶＣＯ）６５からなり、周波数ｆvctcxo・（Ｎ′／Ｍ′）の搬送波信号を復調部２０ｂへ出力する。なお、ここで、周波数合成部６０での分周比１／Ｍ′及び分周比１／Ｎ′が、第１の実施の形態における周波数合成部４０ａでの分周比１／Ｍ′及び分周比１／Ｎ′と同じ符号を使用しているが、同一の値であることを示すものではない。ここでは都合により、第１の実施の形態における周波数合成部４０ａでの分周比１／Ｍ′及び分周比１／Ｎ′を、図４では分周比１／Ｍ″及び分周比１／Ｎ″と表示している。
【００４２】
このようにして、搬送波信号も受信波に同期することになり、従って、同期していないために復調部が原因となって発生していたＡＦＣフィードバック制御への悪影響がなくなり、ＡＦＣによる周波数補正（同期）の引き込み時間が短縮される。
【００４３】
なお、第３の実施の形態においても、第２の実施の形態のように切替スイッチ５１及び記憶装置５３を設け、基準信号発生器５２を接続して初期値を求め記憶するようにしてもよい。
【００４４】
次に、第４の実施の形態を説明する。
図５は、第４の実施の形態に係る無線受信機の構成を示すブロック図である。
第４の実施の形態は、基本的に第３の実施の形態と同じ構成であるので、同一構成部分には同一の参照符号を付してその説明を省略し、相違する部分だけを以下に説明する。
【００４５】
第４の実施の形態では、周波数合成部４０ａから出力されるクロック信号を位相検出部３ａ、周波数誤差検出部４ａ、及び制御部５ａに供給する。
こうすることにより、無線受信機の各部が全て受信信号に同期することになり、ＡＦＣの精度が向上し、周波数補正（同期）の引き込み時間が短縮される。
【００４６】
なお、第４の実施の形態においても、第２の実施の形態のように切替スイッチ５１及び記憶装置５３を設け、基準信号発生器５２を接続して初期値を求め記憶するようにしてもよい。
【００４７】
またなお、第４の実施の形態では、周波数合成部４０ａから出力されるクロック信号を位相検出部３ａ、周波数誤差検出部４ａ、及び制御部５ａの全てに供給しているが、これに代わって、位相検出部３ａ、周波数誤差検出部４ａ、及び制御部５ａのうちの少なくとも１つに供給するようにしてもよい。
【００４８】
次に、第５の実施の形態を説明する。
図６は、第５の実施の形態に係る無線受信機の構成を示すブロック図である。
第５の実施の形態は、基本的に第３の実施の形態と同じ構成であるので、同一構成部分には同一の参照符号を付してその説明を省略し、相違する部分だけを以下に説明する。
【００４９】
第５の実施の形態では、制御部５ａと周波数合成部４０ａとの間に基準信号発生部５４及びＤ／Ａ変換器５５を新たに設けると共に、制御部５ａと周波数合成部６０との間に基準信号発生部５６及びＤ／Ａ変換器５７を新たに設ける。基準信号発生部５４，５６は、基準信号発生部１ａと同様に、電圧制御温度補償水晶発振器（ＶＣＴＣＸＯ）によってそれぞれ構成される。制御部５ａからは、周波数誤差が所定許容範囲内に収まっていないときに、その周波数誤差に比例した値を示す各ディジタル信号がＤ／Ａ変換器５５，５７へ出力される。Ｄ／Ａ変換器５５，５７は、それらのディジタル信号が示す各値を制御電圧として示す制御信号を生成して、基準信号発生部５４，５６へそれぞれ送る。基準信号発生部５４，５６は、それらの制御信号に応じて、上述した周波数誤差が圧縮される方向に発振周波数を可変した基準信号をそれぞれ発生する。
【００５０】
このように、基準信号発生部５４，５６を基準信号発生部１ａと別に設けることにより、適切な分周比がないために所望の周波数を合成できないような場合にも対応することが可能になる。
【００５１】
なお、制御部５ａと周波数合成部４０ａとの間に基準信号発生部５４及びＤ／Ａ変換器５５を新たに設けるだけで、周波数合成部６０は、基準信号発生部１ａからの基準信号を利用する構成にしてもよい。
【００５２】
なおまた、第５の実施の形態においても、第２の実施の形態のように切替スイッチ５１及び記憶装置５３を設け、基準信号発生器５２を接続して初期値を求め記憶するようにしてもよい。ただし、この場合には、Ｄ／Ａ変換器毎に初期値を別々に記憶することになる。
【００５３】
次に、第６の実施の形態を説明する。
図７は、第６の実施の形態に係る無線受信機の構成を示すブロック図である。
第６の実施の形態は、基本的に第３の実施の形態と同じ構成であるので、同一構成部分には同一の参照符号を付してその説明を省略し、相違する部分だけを以下に説明する。
【００５４】
第６の実施の形態では、周波数合成部４０ａとＡ／Ｄ変換部３０ａとの間に選択スイッチ（ＳＷ）５８を設け、一方の入力端に周波数合成部４０ａからのクロック信号を入力させ、他方の入力端に、新たに設けたクロック発振器（ＯＳＣ）５９の出力クロック信号を入力させる。そして、制御部５ａから選択スイッチ５８に選択信号が送られる。制御部５ａは、周波数誤差検出部４ａによって検出された周波数誤差が所定値以下であるときには、クロック発振器５９から送られたクロック信号を選択することを指令する選択信号を選択スイッチ５８に送り、周波数誤差が所定値を越えたときには、周波数合成部４０ａから送られたクロック信号を選択することを指令する選択信号を選択スイッチ５８に送る。なお、制御部５ａは、受信信号に対して無線受信機の同期が取れていないときにも、周波数合成部４０ａから送られたクロック信号を選択することを指令する選択信号を選択スイッチ５８に送るようにしてもよい。
【００５５】
かくして、同期のずれがないときにはフィードバックが行われないので、不要に処理を複雑にして、その結果、同期の遅れを招くことを防止できる。
なお、第６の実施の形態においても、第２の実施の形態のように切替スイッチ５１及び記憶装置５３を設け、基準信号発生器５２を接続して初期値を求め記憶するようにしてもよい。
【００５６】
次に、第７の実施の形態を説明する。
図８は、第７の実施の形態に係る無線受信機の構成を示すブロック図である。
第７の実施の形態は、基本的に第５の実施の形態と同じ構成であるので、同一構成部分には同一の参照符号を付してその説明を省略し、相違する部分だけを以下に説明する。
【００５７】
第７の実施の形態では、図６に示す第５の実施の形態と比べ、制御部５ａと周波数合成部６０との間に基準信号発生部５６及びＤ／Ａ変換器５７を設けず、周波数合成部６０は、基準信号発生部１ａからの基準信号を利用する。そして、基準信号発生部５４とＤ／Ａ変換器５５との間に選択スイッチ（ＳＷ）７１を設け、一方の入力端にＤ／Ａ変換器５５からの制御信号を入力させ、他方の入力端に、新たに設けた定電圧部７２からの所定の一定電圧を入力させる。Ｄ／Ａ変換器５５から出力される制御信号は、アナログの電圧値からなっている。そして、制御部５ａから選択スイッチ７１に選択信号が送られる。制御部５ａは、周波数誤差検出部４ａによって検出された周波数誤差が所定値以下であるときには、定電圧部７２から送られた所定の一定電圧を選択することを指令する選択信号を選択スイッチ７１に送り、周波数誤差が所定値を越えたときには、Ｄ／Ａ変換器５５から送られたアナログの電圧値からなる制御信号を選択することを指令する選択信号を選択スイッチ７１に送る。なお、制御部５ａは、受信信号に対して無線受信機の同期が取れていないときにも、Ｄ／Ａ変換器５５から送られたアナログの電圧値からなる制御信号を選択することを指令する選択信号を選択スイッチ７１に送るようにしてもよい。
【００５８】
かくして、同期のずれがないときにはフィードバックが行われないので、不要に処理を複雑にして、その結果、同期の遅れを招くことを防止できる。
なお、第７の実施の形態においても、第２の実施の形態のように切替スイッチ５１及び記憶装置５３を設け、基準信号発生器５２を接続して初期値を求め記憶するようにしてもよい。ただし、この場合には、Ｄ／Ａ変換器毎に初期値を別々に記憶することになる。
【００５９】
次に、第８の実施の形態を説明する。
図９は、第８の実施の形態に係る無線送受信機の構成を示すブロック図である。  第８の実施の形態は、図４に示す第３の実施の形態における無線受信機と同一の構成を有する受信部２００に対して更に送信部を付加した無線送受信機に関するものである。図９においては受信部２００の詳しい図示は省略する。受信部２００は第３の実施の形態と同じ構成であるので、以下の説明では第３の実施に係る無線受信機を流用する。
【００６０】
第８の実施の形態では、受信部２００の基準信号発生部１ａからの基準信号（周波数ｆvctcxo）を基にして、周波数合成部２１０が周波数合成を行い、クロック信号を発生してＤ／Ａ変換器２２０へ送る。周波数合成部２１０は、分周比１／Ｌ″の分周器２１１、分周比１／Ｋ″の分周器２１２、位相比較器２１３、ループフィルタ２１４、電圧制御発振器（ＶＣＯ）２１５からなり、周波数ｆvctcxo・（Ｋ″／Ｌ″）のクロック信号をＤ／Ａ変換器２２０へ出力する。
【００６１】
Ｄ／Ａ変換器２２０は、Ｄ／Ａ変換器２２１，２２２からなり、送信情報処理部から送られるディジタルの送信情報をアナログ化する。
また、受信部２００の基準信号発生部１ａからの基準信号（周波数ｆvctcxo）を基にして、周波数合成部２３０が周波数合成を行い、搬送波信号を発生して変調部２４０へ送る。周波数合成部２３０は、分周比１／Ｌ′の分周器２３１、分周比１／Ｋ′の分周器２３２、位相比較器２３３、ループフィルタ２３４、電圧制御発振器（ＶＣＯ）２３５からなり、周波数ｆvctcxo・（Ｋ′／Ｌ′）の搬送波信号を変調部２４０へ出力する。
【００６２】
変調部２４０は、乗算器２４１，２４２、９０゜移相器２４３からなり、ＱＰＳＫ方式の変調を行う。
また更に、受信部２００の基準信号発生部１ａからの基準信号（周波数ｆvctcxo）を基にして、局部発振部２５０が周波数合成を行い、局発信号を発生して周波数変換部２０３へ送る。局部発振部２５０は、分周比１／Ｌの分周器２５１、分周比１／Ｋの分周器２５２、位相比較器２５３、ループフィルタ２５４、電圧制御発振器（ＶＣＯ）２５５からなり、周波数ｆvctcxo・（Ｋ／Ｌ）の局発信号を周波数変換部２０３へ出力する。
【００６３】
周波数変換部２０３は、変調部２４０からの変調信号を帯域通過フィルタ（ＢＰＦ）２０２を介して受け取り、周波数変換を行って送信波を生成し、帯域通過フィルタ（ＢＰＦ）２０４を介して電力増幅器（ＰＡ）２０５へ送る。電力増幅器２０５は送信波を所定レベルまで増幅してアンテナへ送る。
【００６４】
このようにして、送信側のクロック信号、搬送波信号、局発信号も受信波に同期することになる。従って、受信波の送信元である、例えば基地局にこの送信波が届いた場合に、基地局では、自局のクロックに同期した信号を受信できることになる。
【００６５】
なお第８の実施の形態では、送信側のクロック信号、搬送波信号、及び局発信号が全て受信波に同期するようになっているが、これらのうちの１つまたは２つが受信波に同期するようになっていてもよい。
【００６６】
次に、第９の実施の形態を説明する。
図１０は、第９の実施の形態に係る無線受信機の構成を示すブロック図である。  第９の実施の形態は、基本的に第３の実施の形態と同じ構成であるので、同一構成部分には同一の参照符号を付してその説明を省略し、相違する部分だけを以下に説明する。
【００６７】
第９の実施の形態では、切替スイッチ（ＳＷ）７３を低雑音増幅器７の前段に設け、切替スイッチ７３の一方の入力端子に受信波を入力させるようにする。通常は、切替スイッチ７３は受信波を低雑音増幅器７へ出力するようにしている。また、制御部５ａに記憶装置７５、タイマ７６、及びアラーム装置７７を接続する。
【００６８】
この無線受信機の製造時において、切替スイッチ７３の他方の入力端子に基準信号発生器７４を接続し、切替スイッチ７３を切り替えて、受信波基準信号発生器７４からの出力信号を低雑音増幅器７へ送るようにし、その上で、無線受信機に対してＡＦＣフィードバック制御動作を行わせる。基準信号発生器７４は、周波数が高安定な（例えば、０．０１ｐｐｍ）標準変調信号を発生する装置である。
【００６９】
無線受信機でのＡＦＣフィードバック制御動作の結果、周波数誤差検出部４ａが検出した周波数誤差が所定範囲内に収まったときに、制御部５ａは、そのときのＤ／Ａ変換器６へ出力しているディジタル信号を、記憶装置７５に初期値として記憶する。この記憶された初期値は、基準信号発生部１ａへ送るべき周波数誤差に比例した電圧値（制御電圧Ｖcont）をディジタル値によって示すものである。
【００７０】
即ち、第２の実施の形態と同様に、電源電圧値、基準信号発生部１ａの出力負荷の大きさ、発振周波数調整用に付加されるトリマコンデンサの容量、Ｄ／Ａ変換器６の出力抵抗の値に、無線受信機毎の個体差があるために、ＶＣＴＣＸＯからなる基準信号発生部１ａが発生する基準信号の周波数は、無線受信機毎にどうしても異なってしまう。そのため、このままでは、無線受信機によっては、周波数誤差が所定範囲内に収まるまでに、１０数秒もかかることがある。
【００７１】
そこで、製造時に各無線受信毎に、基準信号発生器７４を使用して、予めＡＦＣフィードバック制御動作を行って、周波数誤差が所定範囲内に収まったときのディジタル信号（制御電圧Ｖcontをディジタル値として示す、制御部５ａがＤ／Ａ変換器６へ出力している信号）を得て、記憶装置７５に初期値として記憶しておく。そして、ユーザがその無線受信機を起動するときに、制御部５ａが記憶装置７５に記憶された初期値を読み出して、Ｄ／Ａ変換器６へ送るようにする。これによって、ＡＦＣフィードバック制御動作を行ったときに常時、素早く、周波数誤差が所定範囲内に収まることになる。
【００７２】
更に、第９の実施の形態では、タイマ７６が、記憶装置７５に初期値が記憶されたときからの時間の経過を計測する。制御部５ａは、タイマ７６の計測時間を監視し、タイマ７６が所定時間（例えば１〜３年）の経過を計測したときに、アラーム装置７７を作動させ、操作者に対して記憶装置７５に記憶されている初期値の更新を促す。
【００７３】
操作者はその時、無線受信機をサービスステーション等に持ち込み、前述の製造時の初期値設定と同じ手順によって、初期値の更新を受ける。
これにより、ＶＣＴＣＸＯ等の経年変化に起因して周波数誤差が変化し、その結果同期引き込みに時間がかかるようになっていた場合に、それを改善することができる。
【００７４】
なお、第９の実施の形態では、タイマ７６及びアラーム装置７７を設けているが、それらを設けず、操作者の意志によって初期値の更新を受けるようにしてもよい。
【００７５】
なおまた、第９の実施の形態では、製造後において基準信号発生器７４を切替スイッチ７３に接続する必要があるため、無線受信機の筐体に、切替スイッチ７３に接続されたコネクタを設け、このコネクタを介して基準信号発生器７４を切替スイッチ７３に接続することになる。そこで、無線受信機が自動車内で使用され、この自動車に無線受信機用のアンテナがある場合には、アンテナをこのコネクタに接続するようにする。これによって、無線受信機に内蔵されるアンテナよりも高感度の受信が簡単に可能となる。
【００７６】
次に、第１０の実施の形態を説明する。
図１１は、第１０の実施の形態に係る無線受信機の構成を示すブロック図である。第１０の実施の形態は、基本的に第９の実施の形態と同じ構成であるので、同一構成部分には同一の参照符号を付してその説明を省略し、相違する部分だけを以下に説明する。
【００７７】
第１０の実施の形態では、第９の実施の形態に比べ、タイマ７６及びアラーム装置７７を設けず、新たに記憶装置７８を設ける。
通常の起動動作において、制御部５ａが、記憶装置７５に記憶された初期値を読み出してＤ／Ａ変換器６に与え、ＡＦＣフィードバック制御が実行される。その結果、周波数誤差検出部４ａによって求められた周波数誤差が所定許容範囲内に収まったとき、制御部５ａは、Ｄ／Ａ変換器６に送っているディジタル信号が表している値の平均値を算出して記憶装置７８に記憶する。平均値の算出は、ディジタル信号が得られる度にそれらの表す値を記憶し、所定時間毎に算術平均を求めるか、または、新たな値が得られる度に、前回までに算出されている平均値に加算するようにして加重平均を求める。
【００７８】
その上で、制御部５ａは、所定期間（例えば１年）毎に、記憶装置７８に記憶されている平均値を、記憶装置７５に記憶されている初期値と比較し、異なっている場合には、この平均値を記憶装置７５に初期値として記憶させる。
【００７９】
これにより、ＶＣＴＣＸＯ等の経年変化に起因して周波数誤差が変化し、その結果同期引き込みに時間がかかるようになっていた場合に、それを改善することができる。
【００８０】
次に、第１１の実施の形態を説明する。
図１２は、第１１の実施の形態に係る無線受信機の構成を示すブロック図である。第１１の実施の形態は、基本的に第１０の実施の形態と同じ構成であるので、同一構成部分には同一の参照符号を付してその説明を省略し、相違する部分だけを以下に説明する。
【００８１】
第１１の実施の形態では、タイマ７９が新たに設けられる。タイマ７９は、記憶装置７５に初期値が記憶されたときからの時間の経過を計測する。記憶装置７８には、第１０の実施の形態と同じように、平均値が記憶される。
【００８２】
そして、制御部５ａが、タイマ７９の計測時間を監視し、タイマ７９が所定時間（例えば１年）の経過を計測したときに、制御部５ａは、記憶装置７８に記憶されている平均値を記憶装置７５に初期値として記憶させる。
【００８３】
これにより、ＶＣＴＣＸＯ等の経年変化に起因して周波数誤差が変化し、その結果同期引き込みに時間がかかるようになっていた場合に、それを改善することができる。
【００８４】
【発明の効果】
以上説明したように本発明では、第２の周波数合成手段が、基準信号発生手段から発生された基準信号の周波数を基準として周波数合成を行ってクロック信号を発生し、Ａ／Ｄ変換手段へ供給する。従って、Ａ／Ｄ変換手段へ供給されるクロック信号は受信波と同期が取れており、そのため、Ａ／Ｄ変換手段がＡＦＣフィードバック制御に悪影響を与えることがなくなり、ＡＦＣによる周波数補正（同期）の引き込み時間を従来よりも短縮することができる。
【００８５】
また、第２の周波数合成手段にＰＬＬ回路を使用すれば、分周しても周波数が一致しない問題も解消し、また、移動端末に搭載可能な現在あるＶＣＴＣＸＯを使用することも可能となる。
【図面の簡単な説明】
【図１】本発明の原理説明図である。
【図２】第１の実施の形態に係るＣＤＭＡ方式が適応された無線受信機の構成を示すブロック図である。
【図３】第２の実施の形態に係る無線受信機の構成を示すブロック図である。
【図４】第３の実施の形態に係る無線受信機の構成を示すブロック図である。
【図５】第４の実施の形態に係る無線受信機の構成を示すブロック図である。
【図６】第５の実施の形態に係る無線受信機の構成を示すブロック図である。
【図７】第６の実施の形態に係る無線受信機の構成を示すブロック図である。
【図８】第７の実施の形態に係る無線受信機の構成を示すブロック図である。
【図９】第８の実施の形態に係る無線送受信機の構成を示すブロック図である。
【図１０】第９の実施の形態に係る無線受信機の構成を示すブロック図である。
【図１１】第１０の実施の形態に係る無線受信機の構成を示すブロック図である。
【図１２】第１１の実施の形態に係る無線受信機の構成を示すブロック図である。
【図１３】ＣＤＭＡ方式が適応された従来の無線受信機の構成例を示す図である。
【符号の説明】
１  基準信号発生手段
２  周波数変換手段
３  位相検出手段
４  周波数誤差検出手段
５  制御手段
６  Ｄ／Ａ変換器
７  低雑音増幅器
８  低域通過フィルタ
９  低域通過フィルタ
１０  局部発振手段
２０  復調手段
３０  Ａ／Ｄ変換手段
４０  周波数合成手段
【図１】
0003698543.tif 000002
【図２】
0003698543.tif 000003
【図３】
0003698543.tif 000004
【図４】
0003698543.tif 000005
【図５】
0003698543.tif 000006
【図６】
0003698543.tif 000007
【図７】
0003698543.tif 000008
【図８】
0003698543.tif 000009
【図９】
0003698543.tif 000010
【図１０】
0003698543.tif 000011
【図１１】
0003698543.tif 000012
【図１２】
0003698543.tif 000013
【図１３】
0003698543.tif 000014